(57)【要約】【課題】情報供給者の権利を守ることができるコピー防止光ディスクとそのためのプログラムの提供。【解決手段】（１）ディスク全面にＡＴＩＰを有し、その一部にピットで設けられた再生専用領域を有し、該再生専用領域に、前後のＡＴＩＰと連続しておらず、ＡＴＩＰエラー即ちＡＴＥＲを生じさせるＡＴＩＰ（キーＡＴＩＰ）を有する光ディスク。（２）再生装置に入れられた光ディスクが接続されたパソコン上で動作するプログラムで、プログラムに定められたキーＡＴＩＰの存在を示す情報を元に、キーＡＴＩＰの存在をチェックするステップと、キーＡＴＩＰの存在を検出した場合は正規な光ディスクであると判断してプログラムを続行し、キーＡＴＩＰの存在を検出しなかった場合は不正な光ディスクであると判断してプログラムを中断するステップとを有する（１）の光ディスクに記録された情報を利用するためのプログラム。【選択図】        図３
2005032303.tif 000002
【特許請求の範囲】
【請求項１】
ディスク全面にＡＴＩＰ（アドレス情報）を有し、その一部にピットで設けられた再生専用領域を有し、該再生専用領域に、前後のＡＴＩＰと連続しておらず、ＡＴＩＰエラー即ちＡＴＥＲを生じさせるＡＴＩＰ（以下、キーＡＴＩＰという）を有する光ディスク。
【請求項２】
キーＡＴＩＰを特定のパターンで複数設けたことを特徴とする請求項１記載の光ディスク。
【請求項３】
キーＡＴＩＰを１／１０以下の出現率となる周期で設けたことを特徴とする請求項２記載の光ディスク。
【請求項４】
再生装置に入れられた光ディスクが接続されたパーソナルコンピュータ（ＰＣ）上で動作するプログラムであって、プログラムに定められたキーＡＴＩＰの存在を示す情報を元に、キーＡＴＩＰの存在をチェックするステップと、キーＡＴＩＰの存在を検出した場合は正規な光ディスクであると判断してプログラムを続行し、キーＡＴＩＰの存在を検出しなかった場合は不正な光ディスクであると判断してプログラムを中断するステップとを有する請求項１〜３の何れかに記載の光ディスクに記録された情報を利用するためのプログラム。
【発明の詳細な説明】
【０００１】
【発明の属する技術分野】
本発明は、コピー防止光ディスク及び該光ディスクに記録された情報を利用するためのプログラムに関するものである。
【０００２】
【従来の技術】
近年、ＰＣインフラでＣＤ−ＲＯＭ（Ｒ／ＲＷ）ドライブが標準装備となり、アプリケーションソフトウェア、音楽、画像（静止画、動画）などの大容量のコンテンツは、ＣＤフォーマットの光ディスクで配布（販売）されるのが一般的になってきた。一方、情報の記録用光ディスクとしてＣＤ−ＲやＣＤ−ＲＷも広く使用されている。
ＣＤ−ＲやＣＤ−ＲＷでは、アドレス情報であるＡＴＩＰ（ＡｂｓｏｌｕｔｅＴｉｍｅ  Ｉｎ  Ｐｒｅｇｒｏｖｅ、アブソリュート・タイム・イン・プレグルーブ）が、スタンパの露光時にトラックのウォブルに記録される。このＡＴＩＰは、図１に示すフォーマットで内周から外周に向かって１／７５秒をフレーム単位とする時間形式で連続して記録されている。
【０００３】
光ディスクからＣＤ−ＲやＣＤ−ＲＷへの記録方法としては、再生装置で再生した光ディスクのデータを、パーソナルコンピュータ（ＰＣ）上のイメージファイルを介して又は介さずに光ディスク記録装置に転送し、ＣＤ−ＲやＣＤ−ＲＷに内周から連続して記録するＤＡＯ（Ｄｉｓｃ  Ａｔ  Ｏｎｃｅ、ディスク・アット・ワンス）方式が一般的である。その際、光ディスクにはＡＴＩＰと同期して内周から時間形式で連続して割り振られたサブコードアドレスと共に情報が記録され、光ディスク再生装置はサブコードアドレスを元に情報を再生する。
ＤＡＯ方式により容易に光ディスクのコピーが可能になったが、不正なコピーを防止するなどの目的で、光ディスクにコピーを禁止する情報を記録することも可能である。しかし、これを無視するソフトウエアにより不正なコピーが行われ、著作権の侵害が深刻な問題となっている。このような不正コピーを防止するためにこれまで数々の方法が提案されている。
【０００４】
例えば特許文献１には、コピー装置に混乱を生じさせるトラップエリアを設ける方法が提案されているが、原本にトラップエリアを設けた場合、通常はＤＡＯコピーを防止できるものの、強引に欠陥も併せてコピーするソフトウエアもあり、ドライブの暴走を助長し破損に繋がる場合もある。また、その検出方法についても、原本のトラップエリアで発生するアドレス情報の乱れとコピーでトラップエリアにより生じたアドレス情報の乱れとを判別するため複雑にドライブを制御する必要がある。更に、ディスクの製造に際しても、特殊で高精度のスタンパ生産装置を必要としディスクが高価になる。
【０００５】
【特許文献１】
特開平１１−３０６６４８号公報
【０００６】
【発明が解決しようとする課題】
本発明の目的は、コピーされた情報の再生を簡易に制御できる安価な手段を開発し、情報供給者の権利を守ることができるコピー防止光ディスクとそのためのプログラムを提供することである。
【０００７】
【課題を解決するための手段】
本発明者は、前後のＡＴＩＰと連続しておらず、ＡＴＩＰエラー即ちＡＴＥＲを生じさせるＡＴＩＰ（以下、キーＡＴＩＰという）であって、簡易に設けることができ且つコピーできないＡＴＩＰを、アドレスの取得の比較という簡易かつ確実な方法で検出することにより、ディスクの真贋が判別できることを見出した。
即ち、上記課題は、次の１）〜４）の発明（以下、本発明１〜４という）によって解決される。
１）  ディスク全面にＡＴＩＰ（アドレス情報）を有し、その一部にピットで設けられた再生専用領域を有し、該再生専用領域に、前後のＡＴＩＰと連続しておらず、ＡＴＩＰエラー即ちＡＴＥＲを生じさせるＡＴＩＰ（以下、キーＡＴＩＰという）を有する光ディスク。
２）  キーＡＴＩＰを特定のパターンで複数設けたことを特徴とする１）記載の光ディスク。
３）  キーＡＴＩＰを１／１０以下の出現率となる周期で設けたことを特徴とする２）記載の光ディスク。
４）  再生装置に入れられた光ディスクが接続されたパーソナルコンピュータ（ＰＣ）上で動作するプログラムであって、プログラムに定められたキーＡＴＩＰの存在を示す情報を元に、キーＡＴＩＰの存在をチェックするステップと、キーＡＴＩＰの存在を検出した場合は正規な光ディスクであると判断してプログラムを続行し、キーＡＴＩＰの存在を検出しなかった場合は不正な光ディスクであると判断してプログラムを中断するステップとを有する１）〜３）の何れかに記載の光ディスクに記録された情報を利用するためのプログラム。
【０００８】
以下、上記本発明について詳しく説明する。
本発明１は前記キーＡＴＩＰを有することを特徴とする。その結果、通常の記録装置にはＡＴＩＰを記録する手段が無いためキーＡＴＩＰがコピーできないので、不正コピーを防止できる。キーＡＴＩＰを設ける領域は、集中していても、散在していても良い。
本発明２では、キーＡＴＩＰを特定のパターン（例、一定の間隔）で複数設けたので、欠陥により生じるＡＴＩＰエラーと明瞭に区別でき、誤判定のない正確な真贋判別ができる。
本発明３では、キーＡＴＩＰを１／１０以下の出現率となる周期で設けたので、キーＡＴＩＰが追記部にあっても、追記時に記録エラーが発生しない。また、オリジナルの人為的なＡＴＥＲとコピー品にランダムに生じるＡＴＥＲとを区別することができる。なお、周期を１／１０（１０％）以下の出現率になるようにするのは、通常の記録再生動作や強引なコピー動作を行っても支障を生じないようにするためである。また、出現周期の下限は、エラーの出現が偶然でない人為的なものであると判断できる範囲であればよく、一般的には毎秒１個程度、即ち、１／７５程度である。
本発明４によれば、本発明１〜３の光ディスクに記録された情報の不正コピーによる著作権侵害を防止することができる。
【０００９】
【発明の実施の形態】
以下、図を参照しつつ、本発明の実施の形態について説明する。
一例として、本来図２（ａ）の様に記録されるべきＡＴＩＰの毎秒の“００”フレームの値を、図２（ｂ）の様に“３３”と置き換えて記録した場合を取り上げて説明する。
キーＡＴＩＰの作成方法としては、スタンパ露光時にＡＴＩＰデコーダで発生させるＡＴＩＰのデータを特定のパターンで変更するだけでよく、この例では、図２のように毎秒の“００”フレームの値を“３３”と置き換えた。同時にピットの露光も行い、オリジナルを判別し起動するプログラムを記録した再生専用領域を形成した。
次に、作成したスタンパを用いて、一般的な方法で、次のような層構成の２種の光ディスクを製造した。
・ＣＤ−Ｒ    ：ポリカーボネート基板＋有機色素記録層＋Ａｌ反射層
＋アクリル樹脂保護層
・ＣＤ−ＲＷ  ：ポリカーボネート基板＋無機誘電体保護層＋無機相変化記録層
＋無機誘電体保護層＋Ａｌ反射層＋アクリル樹脂保護層
【００１０】
上記ＣＤ−Ｒディスクについて、プログラムを起動する際、ドライブにセットされているディスクのキーＡＴＩＰを確認し、プログラムの継続／中断の判断をするため、図３に示したような以下の処理を行った。
（１）任意の１０秒間（７５０フレーム）のＡＴＩＰを読込み、ＡＴＥＲの発生したＡＴＩＰの値を取得した。取得した値を図４（ａ）に示す。
比較のため、この例のディスクのコピー品を用いて同じプログラムを実行した場合の結果を図４（ｂ）に示す。
（２）各ＡＴＩＰのフレームの値（図２の００〜７４）別のＡＴＥＲの発生回数を統計処理した。
（３）この例のディスクのＡＴＥＲを測定したところ、全発生は１１回であり、内訳はフレーム値“３３”でのＡＴＥＲの発生が９回、他のフレーム値でのＡＴＥＲの発生が２回であった。
これに対し、コピー品ではフレーム値“２１”でのＡＴＥＲの発生が１回のみであった。
（４）この例のディスクの場合、ランダムに発生する欠陥によるＡＴＥＲはキーＡＴＩＰで１つ、他のＡＴＩＰで１つであるから、特定のフレーム値（“３３”）でのＡＴＥＲの発生回数が、他のフレーム値でのＡＴＥＲの発生回数の合計の２倍以上であり、明らかに突出した値を示すオリジナルと判定しプログラムを継続した。
これに対し、コピー品では、本来１０秒間に１０回以上あるべきＡＴＥＲが１回しかないので、オリジナルでないと判定しプログラムを中断した。
【００１１】
なお、上記処理におけるＡＴＥＲの測定は、キーＡＴＩＰを設けた領域に「テスト記録」を行い、発生したアドレスエラーをメモリに記録して読み出すことにより行った。ここで「テスト記録」とは、ＬＤ（レーザダイオード）を記録パワーでなく再生パワーで発光させながら記録をシュミレートするもので、実際の記録の場合と同様、ＡＴＩＰを読みながら記録位置を観察する操作のことである。上記判定については、プログラム上に定数“３３”を持たせておき、フレーム値“３３”でのエラーの発生回数が規定値以上であるか否かで行ってもよい。
キーＡＴＩＰは、図５に示すように２種類以上あっても良く、それぞれ周期が異なって設けられていても良い。
また、フレームの値ばかりでなく分・秒の値を組合せても良く、値も“０”から“Ｆ”までの８ビットで表示できる値から任意に選ぶことができる。
上記図３に示す処理の結果については、ＣＤ−ＲＷディスクでも同様の傾向を示す。
【００１２】
【発明の効果】
本発明によれば、情報供給者の権利を守ることができるコピー防止光ディスクとそのためのプログラムを提供できる。
【図面の簡単な説明】
【図１】ＣＤ−ＲやＣＤ−ＲＷのＡＴＩＰのフォーマットを示す図。
【図２】（ａ）  本来記録されるべきＡＴＩＰの値を示す図。
（ｂ）  （ａ）の毎秒の“００”フレームの値を、“３３”と置き換えて記録した状態を示す図。
【図３】プログラムを起動する際、ドライブにセットされているディスクのアドレス・ジャンプを確認し、プログラムの継続／中断の判断をするために行う処理を説明するための図。
【図４】（ａ）  任意の１０秒間（７５０フレーム）のＡＴＩＰを読込み、ＡＴＥＲの
発生したＡＴＩＰの値を取得した結果を示す図。
（ｂ）  （ａ）のデータを取ったディスクのコピー品を用いて同じプログラムを実行した場合の結果を示す図。
【図５】キーＡＴＩＰが２種類以上ある場合、或いはそれぞれ周期が異なって設けられている場合の例を示す図。
【図１】
2005032303.tif 000003
【図２】
2005032303.tif 000004
【図３】
2005032303.tif 000005
【図４】
2005032303.tif 000006
【図５】
2005032303.tif 000007